(57)【要約】【課題】エアーバッグ内の圧力が高すぎることを防止できる人体姿勢調整と筋肉弛緩装置を提供する。【解決手段】主として、操作スイッチセットと制御ボックス及びエアーバッグが含有され、制御ボックスに、制御回路とポンプ、エアー充填弁及びレギュレータが設置され、ポンプにポンプの振動量と騒音を低減するための防振装置が設置され、ユーザーが操作スイッチセット上のエアー充填ボタンを持続的に押すと、エアー充填信号が制御回路に伝送され、制御回路がポンプを駆動してエアー充填弁を封止するように指示する。【選択図】図３
0003127353.tif 000002
【実用新案登録請求の範囲】
【請求項１】
上に制御命令入力ボタンが設置され、制御ボックスに連接され、制御信号を制御ボックスの制御回路に入力し、リモコンによって制御されることもできる操作スイッチセットと、
気体の注入と排出のための給気口があり、クッションに実装されることにより、シートバック内に実装される背凭れクッションを形成し、椅子に設置された懸垂紐により、シートバックに懸垂されるエアーバッグと、
制御ボックスに連接され、電源の開閉を制御する電源スイッチと、
制御ボックスに連接され、電源を制御ボックスに導入する電源プラグと、
操作スイッチセットからの信号を受信し、受信した信号に基づいてポンプやエアー充填弁の作動を制御する制御回路と、制御回路からの駆動信号を受信し、気体を出力し、当該出力された気体が、レギュレータと保持気弁を介してエアーバッグに入り、エアーバッグに対してエアー充填するポンプと、制御回路からの信号を受信し、エアー充填するか排気するかのように、エアーバッグを制御するエアー充填弁と、ポンプからの気体を引受け、引受けた気体の圧力を調節修正し、気流経路内の気体圧力がレギュレータに設定された値より高い時、高くなった分の圧力を外へ放出して、エアーバッグ内の気体圧力が高すぎることを防止するレギュレータと、レギュレータとエアーバッグとの間に位置し、エアーバッグ内の気体を封止して、エアーバッグ内の気体が外へ漏れることを防止する保持気弁と、外部からの異物を低減し、排気する時、騒音を低減できるフィルターと、が設置される制御ボックスと、が含有されることを特徴とする人体姿勢調整装置。
【請求項２】
当該操作スイッチセットに、エアー充填ボタンと排気ボタン及びモード選択ボタンがあることを特徴とする請求項１に記載の人体姿勢調整装置。
【請求項３】
当該ポンプに、ポンプの振動量とエアー充填する時の騒音を低減するための防振装置が設置されることを特徴とする請求項１に記載の人体姿勢調整装置。
【請求項４】
上に制御命令入力ボタンが設置され、制御ボックスに連接され、制御信号を制御ボックスの制御回路に入力する操作スイッチセットと、
気体の注入と排出のための給気口があるエアーバッグと、
制御ボックスに連接され、電源の開閉を制御する電源スイッチと、
制御ボックスに連接され、電源を制御ボックスに導入する電源プラグと、
操作スイッチセットからの信号を受信し、受信した信号に基づいてポンプやエアー充填弁の作動を制御する；制御回路と、制御回路からの駆動信号を受信し、気体を出力し、当該出力された気体が、レギュレータと保持気弁を介してエアーバッグに入り、エアーバッグに対してエアー充填するポンプと、ポンプの振動量やエアー充填時の騒音を低減する防振装置と、制御回路からの信号を受信し、エアー充填するか排気するかのように、エアーバッグを制御するエアー充填弁と、ポンプからの気体を引受け、引受けた気体の圧力を調節修正し、気流経路内の気体圧力がレギュレータに設定された値より高い時、高くなった分の圧力を外へ放出して、エアーバッグ内の気体圧力が高すぎることを防止するレギュレータと、外部からの異物を低減し、排気する時、騒音を低減できるフィルターと、が設置される制御ボックスと、が含有されることを特徴とする人体筋肉弛緩装置。
【考案の詳細な説明】
【技術分野】
【０００１】
本考案は、人体姿勢調整と筋肉弛緩装置に関し、特に、制御回路によりエアーバッグのエアー充填と排気を制御し、エアーバッグのエアー充填や排気により人体背凭れ姿勢の調整や筋肉の弛緩を実現する人体姿勢調整と筋肉弛緩装置に関する。
【背景技術】
【０００２】
背凭れクッションを椅子に放置することにより、ユーザーが座る時や横になる時の快適性が得られるが、背凭れクッションにより腰や背中の疲れや痛みを緩和する場合、次のような欠点がある。
【０００３】
１、従来の背凭れクッションは、様々の仕様や高さ及び形状を有するため、ユーザーが、自分の需要に応ずる背凭れクッションを買えず、より良い緩和の効果が得られない。
【０００４】
２、従来の背凭れクッションは、座る時や横になる時に合う角度を調整できなく、人間工学設計ではない。
【考案の開示】
【考案が解決しようとする課題】
【０００５】
本考案の目的は、主として、操作スイッチセットと制御ボックス及びエアーバッグが含有され、当該制御スイッチセットに、エアー充填ボタンと排気ボタン及びモード選択ボタンが設置され、当該制御ボックスに、制御回路とポンプ、エアー充填弁及びレギュレータが設置され、当該制御回路により、ポンプとエアー充填弁の作動が制御され、ポンプに、ポンプの振動量と騒音を低減するための防振装置が設置され、ユーザーがエアー充填ボタン／排気ボタンを押すことにより、当該制御回路が、エアー充填／排気信号を受信すると、自動的に間隔を開けて作動するように、ポンプとエアー充填弁を駆動し、エアーバッグに対して、エアー充填−排気−エアー充填−排気の動作を繰り返し、これにより、エアーバッグが膨張−収縮−膨張−収縮を繰り返して、人体筋肉を弛緩する目的を達成できる人体姿勢調整と筋肉弛緩装置を提供する。
【課題を解決するための手段】
【０００６】
請求項１の考案は、上に制御命令入力ボタンが設置され、制御ボックスに連接され、制御信号を制御ボックスの制御回路に入力し、リモコンによって制御される操作スイッチセットと、気体の注入と排出のための給気口があり、クッションに実装されることにより、シートバック内に実装される背凭れクッションを形成し、椅子に設置された懸垂紐により、シートバックに懸垂されるエアーバッグと、制御ボックスに連接され、電源の開閉を制御する電源スイッチと、制御ボックスに連接され、電源を制御ボックスに導入する電源プラグと、制御ボックスと、が含有され、当該制御ボックスに、操作スイッチセットからの信号を受信し、受信した信号に基づいてポンプやエアー充填弁の作動を制御する制御回路と、制御回路からの駆動信号を受信し、気体を出力し、当該出力された気体が、レギュレータと保持気弁を介してエアーバッグに入り、エアーバッグに対してエアー充填するポンプと、制御回路からの信号を受信し、エアー充填するか排気するかのように、エアーバッグを制御するエアー充填弁と、ポンプからの気体を引受け、引受けた気体の圧力を調節修正し、気流経路内の気体圧力がレギュレータに設定された値より高い時、高くなった分の圧力を外へ放出して、エアーバッグ内の気体圧力が高すぎることを防止するレギュレータと、レギュレータとエアーバッグとの間に位置し、エアーバッグ内の気体を封止して、エアーバッグ内の気体が外へ漏れることを防止する保持気弁と、外部からの異物を低減し、排気する時、騒音を低減できるフィルターと、が設置されることを特徴とする人体姿勢調整装置である。
【０００７】
請求項２の考案は、当該操作スイッチセットに、エアー充填ボタンと排気ボタン及びモード選択ボタンがあることを特徴とする請求項１に記載の人体姿勢調整装置である。
【０００８】
請求項３の考案は、当該ポンプに、ポンプの振動量とエアー充填する時の騒音を低減するための防振装置が設置されることを特徴とする請求項１に記載の人体姿勢調整装置である。
【０００９】
請求項４の考案は、上に制御命令入力ボタンが設置され、制御ボックスに連接され、制御信号を制御ボックスの制御回路に入力する操作スイッチセットと、気体の注入と排出のための給気口があるエアーバッグと、制御ボックスに連接され、電源の開閉を制御する電源スイッチと、制御ボックスに連接され、電源を制御ボックスに導入する電源プラグと、制御ボックスと、が含有され、当該制御ボックスに、操作スイッチセットからの信号を受信し、受信した信号に基づいてポンプやエアー充填弁の作動を制御する；制御回路と、制御回路からの駆動信号を受信し、気体を出力し、当該出力された気体が、レギュレータと保持気弁を介してエアーバッグに入り、エアーバッグに対してエアー充填するポンプと、ポンプの振動量やエアー充填時の騒音を低減する防振装置と、制御回路からの信号を受信し、エアー充填するか排気するかのように、エアーバッグを制御するエアー充填弁と、ポンプからの気体を引受け、引受けた気体の圧力を調節修正し、気流経路内の気体圧力がレギュレータに設定された値より高い時、高くなった分の圧力を外へ放出して、エアーバッグ内の気体圧力が高すぎることを防止するレギュレータと、外部からの異物を低減し、排気する時、騒音を低減できるフィルターと、が設置されることを特徴とする人体筋肉弛緩装置である。
【考案を実施するための最良の形態】
【００１０】
本考案は、図１乃至４を参照しながら、主として、
上にエアー充填ボタン１１と排気ボタン１２及びモード選択ボタン１３が設置され、リモコン１０によって制御されることもでき、制御ボックス２に連接され、制御信号を制御ボックス２の制御回路２１に入力する操作スイッチセット１と、
気体の注入と排出のための給気口３１があり、クッションに実装されることにより、背凭れクッション４を形成し、背凭れクッション４に懸垂紐４１が設置されることにより、当該背凭れクッション４をシートバックに懸垂することができるエアーバッグ３と、
制御ボックス２に連接され、電源９を制御ボックス２に入力するかを制御する電源スイッチ５と、
制御ボックス２に連接され、電源９を制御ボックスに導入し、変圧器プラグ６１や電源電池ボックス６２、自動車電源プラグ６３或いは正負極電線６４である電源プラグ６と、
プログラム制御チップと電子回路とからなり、主として、操作スイッチセット１からのエアー充填ボタン１１と排気ボタン１２及びモード選択ボタン１３の信号を受信し、受信した信号に基づいてポンプ２２やエアー充填弁２３の作動を制御する制御回路２１と、主として、気流を提供し、制御回路２１からの駆動信号を受信すると、運転を開始して、気体を生成し、当該気体がレギュレータ２４と保持気弁２５を介してエアーバッグ３に入り、エアーバッグ３に対してエアー充填し、制御回路２１からの信号を受信していないと、運転を停止するポンプ２２と、当該ポンプ２２に設置され、ポンプ２２の振動量とエアー充填する時の騒音を低減する防振装置２６と、エアー充填するか排気するかのように、エアーバッグ３を制御し、エアーバッグ３に対してエアー充填する必要があるかエアーバッグ３内部の気体を維持するために、当該制御回路２１により供給される信号に基づいて、封止されて、気流経路の気体が、外へ放出されず、制御回路２１から入力した信号がない時や電源９が入力されていない時、開放されて、気流経路の気体が外へ放出され、この時、エアーバッグ３の高さが、気体の減少により、低くなるエアー充填弁２３と、ポンプ２２からの気体を引受けて、引受けた気体の圧力を修正し、気流経路内の気体の圧力が設定値により高い時、高くなった分の圧力を外へ放出して、エアーバッグ３内の気体の圧力が高過ぎることを防止するレギュレータ２４と、レギュレータ２４とエアーバッグ３との間に位置し、エアーバッグ３内の気体を封止して、エアーバッグ内の気体が外へ漏れることを防止する保持気弁２５と、外部からの異物を低減し、排気する時、騒音を低減できるフィルター２７と、が設置される制御ボックス２と、が含有される。
【００１１】
その作動の流れは、図１と５及び６を参照しながら、ユーザーがスイッチ８１で指示した命令に基づいて、エアーバッグ３に対してエアー充填８２を開始し、そして、気量を保持し８３、この時、気量を調整する場合、再び、スイッチ８４を押すと、エアー充填８２や排気８５の動作を行い、その後、気量を保持し８３、ユーザーが、エアーバッグ３に対して、持続的にエアー充填を行う時、操作スイッチセット１上のエアー充填ボタン１１を持続的に押すと、エアー充填信号が、制御回路２１に伝送され、当該制御回路２１が、エアー充填信号を受信すると、ポンプ２２を駆動してエアー充填弁２３を封止するように指示し、これにより、ポンプ２２からの気体が、レギュレータ２４と保持気弁２５を介してエアーバッグ３に入り、エアーバッグ３に対してエアー充填を行い、エアーバッグ３が所定の位置まで膨らむと、エアー充填ボタン１１を放せば良く、この時、エアーバッグ３内の気体が、保持気弁２５によって封止され、エアーバッグ３内の気体が外へ放出されず、また、エアーバッグ３内の気体を放出する場合、ユーザーが、釈放しないように、持続的に排気ボタン１２を押すことにより、制御回路２１が排気信号を受信すると、開放するように、エアー充填弁２３に命じ、ポンプ２２が動作を停止して、エアーバッグ３内の気体が、レギュレータ２４と保持気弁２５を介してエアー充填弁２３から排出され、これにより、エアーバッグ３内の気体が排出され、そのため、エアー充填ボタン１１と排気ボタン１２によりエアーバッグ３のエアー充填と排気を制御して姿勢調整の目的を実現し、また、ユーザーがモード選択ボタン１３を押すことにより、当該制御回路２１により、当該装置の運作状態が変化し、エアーバッグが姿勢調整状態である場合、制御回路２１により筋肉弛緩状態に切り換えられ、逆に、エアーバッグ３が筋肉弛緩状態である時、当該制御回路２１により姿勢調整状態に切り換えられる。
【００１２】
また、図７と８を参照しながら、当該図７において、図１と異なるところは、レギュレータ２４とエアーバッグ３との間に、保持気弁２５が設置されないため、ポンプ２２からの気体が、レギュレータ２４を介して直接にエアーバッグ３に注入し、また、残りの装置の機能が同じであるため、説明を省略する。このモードにおいて、当該操作スイッチセット１のエアー充填ボタン１１と排気ボタン１２の操作方法が、図１と同じであり、また、操作スイッチセット１が、リモコン１０によって制御されても良く、異なるところは、モード選択ボタン１３を押すと、当該制御回路２１が、自動的に間隔を開けて作動して、エアーバッグ３に対して、エアー充填−排気−エアー充填−排気の動作を繰り返するように、ポンプ２２とエアー充填弁２３を制御し、これにより、エアーバッグ３が膨張−収縮−膨張−収縮を繰り返して、人体筋肉を弛緩する目的を達成する。
【００１３】
図９と１０を参照しながら、当該エアーバッグ３が、直接にシイートバック７の中に実装されてもよく、クッションに実装され、エアーバッグ３を背凭れクッション４に形成し、そして、シートバック７に吊り下げても良く、如何なる形式でも、姿勢調整や筋肉弛緩の目的が実現される。
【００１４】
本考案は、
１、エアー充填方式により腰に対する調整や筋肉弛緩が実現でき、従来の背凭れクッションが調整できない欠点を改善できることと、
２、ユーザーの最適な角度に調整でき、最も良い効果が得られることと、
３、自動的にエアー充填や排気により筋肉弛緩効果が実現され、必要する時間が、エアーバッグの膨らみによって決められることと、
４、ユーザーに応じてエアー充填の最大圧力範囲を調整できることと、
５、高すぎる圧力を釈放することができるため、エアーバッグ部品の耐用寿命が高上されることと、
の利点が得られる。
【図面の簡単な説明】
【００１５】
【図１】本考案に係わる人体姿勢調整と筋肉弛緩装置の第１のモードの制御図
【図２】本考案に係わる人体姿勢調整と筋肉弛緩装置の制御ボックスの概念図
【図３】本考案に係わる人体姿勢調整と筋肉弛緩装置の全体概念図
【図４】本考案に係わる人体姿勢調整と筋肉弛緩装置のエアーバッグの断面概念図
【図５】本考案に係わる人体姿勢調整と筋肉弛緩装置の操作流れ図
【図６】本考案に係わる人体姿勢調整と筋肉弛緩装置の第１の実施例の概念図
【図７】本考案に係わる人体姿勢調整と筋肉弛緩装置の第２のモードの制御図
【図８】本考案に係わる人体姿勢調整と筋肉弛緩装置の第２のモードの操作流れ図
【図９】本考案に係わる人体姿勢調整と筋肉弛緩装置の第２の実施例の概念図
【図１０】本考案に係わる人体姿勢調整と筋肉弛緩装置の第３の実施例の概念図
【符号の説明】
【００１６】
１      操作スイッチセット
１０    リモコン
１１    エアー充填ボタン
１２    排気ボタン
１３    モード選択ボタン
２      制御ボックス
２１    制御回路
２２    ポンプ
２３    エアー充填弁
２４    レギュレータ
２５    保持気弁
２６    防振装置
２７    フィルター
３      エアーバッグ
３１    給気口
４      背凭れクッション
４１    懸垂紐
５      電源スイッチ
６      電源プラグ
６１    変圧器プラグ
６２    電源電池ボックス
６３    自動車電源プラグ
６４    正負極電線
７      シートバック
８１    スイッチ
８２    エアー充填
８３    気量保持
８４    再びスイッチ押し
８５    排気
９      電源
【図１】
0003127353.tif 000003
【図２】
0003127353.tif 000004
【図３】
0003127353.tif 000005
【図４】
0003127353.tif 000006
【図５】
0003127353.tif 000007
【図６】
0003127353.tif 000008
【図７】
0003127353.tif 000009
【図８】
0003127353.tif 000010
【図９】
0003127353.tif 000011
【図１０】
0003127353.tif 000012